(57)【要約】 【課題】                    複数箇所からなる肌の悩みを一度に美容解消が望ましく、肌を強固に持ち上げての、美容効果を多く期するリフトアップの仕組みを少なくとも１箇所以上の箇所に講じ備えるパック用シートを提供する。【解決手段】                  額の上部から下顎部を経て喉部又は首元部に至る平面体の、左右それぞれ凹凸の、上まぶたと下まぶた及びこめかみ部、頬の丘部、ほうれい線部、下顎部、喉部、首元部のそれぞれの領域に併せて内側から外側への周縁縁部の直前に終端する切り込み線と楔形状を設け、加えて強固なる仕組みとなる縦方向やハ字状に走る或いは波紋状に広がるミシン目状の切り込み線を複数列設け、そして千切ることで作られる周縁縁部を引っ張り、部位を矯正しながら貼り付ける仕組みを備えることである。【選択図】    図１
2013128518.tif 000002
【特許請求の範囲】
【請求項１】
シート体を、ほぼ顔全体の額上部から下顎先部分までを覆うことができる平面体に打ち抜き、
口部に対応する箇所には孔部を設け、シート周縁縁部を引き上げて肌を上方向に貼り付けることを特徴とするリフティングの仕組みを、
左右それぞれの上まぶたの凡そ中央部を起点として内側から外への周縁縁部の直前に向かい終端する第１切り込み線を設け、第１切り込み線の終端に対向するシート周縁縁部の形状を楔状に形成するa部、
左右それぞれの凡そ目尻を起点として内側から外への周縁縁部の直前に向かい終端する第２切り込み線を設け、第２切り込み線の終端に対向するシート周縁縁部の形状を楔状に形成するb部、
頬下部の左右それぞれ凡そ中央部の近くを起点として内側から外への周縁縁部の直前に向かい終端する第３切り込み線を設け、第３切り込み線の終端に対向するシート周縁縁部の形状を楔状に形成するc部、
の少なくとも一つを設けることで実現することを特徴とするパック用シート。
【請求項２】
前記a部に、左右それぞれの上まぶた部及び下まぶた部からこめかみに至る領域には縦方向に延びて横方向に複数列に並ぶ又は波紋状に広がるミシン目状の第４切り込み線を複数列設け、
前記b部に、左右それぞれの頬部の丘部には縦方向に延びて横方向に複数列に並ぶミシン目状の第５切り込み線を設け、
前記c部に、左右それぞれの口元部付近やハ字状に似たるほうれい線部をハ字状に複数列走る又はハ字状に似たるほうれい線の領域を縦方向に延びて横方向に複数列に並ぶミシン目状の第６切り込み線を設ける請求項１に記載のパック用シート。
【請求項３】
シート体を、顔面の額から顎先端部分を経て喉部又は首元部分までを連続して覆うことができる、左右下顎両片部の突端部から喉部又は首元部までを膨らませて結ぶ略翁形状の平面体に打ち抜き、口部に対向する箇所には孔部を設け、左顎裏を始点としてここから右斜め下方の喉又は首の中央部を横切り斜め右下方向へ伸びて平面体の左右の下顎両片部の突端部から喉部分又は首元部分に至る輪郭線が交わる手前を終端とした略Ｓ字の第７切り込み線を設け、
シート周縁縁部を引き上げて肌を上方向に矯正しながら貼り付けることを特徴とするリフティングの仕組みを、
下顎部の左右それぞれ両サイドを起点として内側から外への周縁縁部の直前に向かい終端する第８切り込み線を設け、第８切り込み線の終端に対向するシート周縁縁部の形状を楔状に形成するd部、
喉部の第７切り込み線を境にして、左右それぞれの両サイドを起点として内側から外への周縁縁部の直前に向かい終端する第９切り込み線を設け、第９切り込み線の終端に対向するシート周縁縁部の形状を楔状に形成するe部、
首部の第７切り込み線を境にして、左右それぞれ両サイドを起点として内側から外への周縁縁部の直前に向かい終端する第１０切り込み線を設け、第１０切り込み線の終端に対向するシート周縁縁部の形状を楔状に形成するf部、
の少なくとも一つを設けることで実現することを特徴とするパック用シート。
【請求項４】
前記d部に、下顎中央部から左右双方の下顎両片部の方向に沿って縦方向に延びて横方向に複数列に並ぶミシン目状の第１１切り込み線を設け、
前記e部に、左右双方の喉部に縦方向に延びて横方向に複数列に並ぶミシン目状の第１２切り込み線を設け、
前記f部に、左右双方の首部から縦方向に延びて横方向に複数列に並ぶミシン目状の第１３切り込み線を設ける請求項３に記載のパック用シート。
【請求項５】
口に対応した箇所に形成する孔部は、長軸が顔面の横方向である楕円孔である請求項１から４のいずれかに記載のパック用シート。
【請求項６】
口に対応した箇所に形成する孔部は、リフト機能をより向上させる為の小孔を複数にして口を覆うことができる又は小さい楕円孔を複数個並べたものである請求項１から５のいずれかに記載のパック用シート。
【請求項７】
平面体の外周縁部には、上部の左右の縁部それぞれにつまみ用の突出部を設ける請求項１から６のいずれかに記載のパック用シート。
【請求項８】
前記楔状の最奥部から内側に向かい、他の切り込み線とは分離されている切り込み線を設ける請求項１から７のいずれかに記載のパック用シート。
【発明の詳細な説明】
【技術分野】
【０００１】
本発明は、顔面や顔面から喉部又は首元部までの凹凸部に対応して、一度に貼り付ける用法の、これらは１枚からなる平面体であって、シート周縁縁部を引き上げて肌を上方向に矯正し、加えて強固に貼り付けることを特徴とする、リフティング機能を少なくとも１箇所以上の箇所に講じて仕組みを備えるパック用シート（以下これらをパック用シートと略称する）に関する。
【０００２】
前記リフトアップ機能を設ける箇所と引き上げる方向は、例えば、a)左又は右の上まぶた部及び下まぶた部からこめかみ部を経て直ぐ上の額の斜め外端部方向へのリフティング、b)左又は右の頬部から凡そこめかみの方向へのリフティング、c)左又は右の口元付近やほうれい線部から耳方向へのリフティング、d)左又は右の下顎中央部から両片部そして頬部を経て凡そこめかみ下部の方向へのリフティング、e)喉部から左又は右の下顎両片部を経てこめかみ下部方向へのリフティング、f)首部から左又は右の下顎両片部を経て耳元裏部の方向へのリフティングである。
【０００３】
前記リフトアップの機能を複数の箇所に設けるパック用シートの平面体は、顔の鼻筋方向と不織布の繊維の並びの方向と併せて刃型で打ち抜くものであり、１枚の平面体からなるものであって、額の上部から口部を経て下顎先部分までを覆うことができる平面体、額の上部から下顎先端部を経て喉部又は首元部までを連続して膨らませて輪郭線を結び略翁形状に覆うことができる平面体である。
【０００４】
前記シート体は、例えば、不織布シートやバイオセルロースシートそしてゲル状の薬事シート体等（以下これらをシートと略称する）である。
【背景技術】
【０００５】
従来品には、凡そ喉部までを覆いながら、シートは引き上げるようにして貼り付けるパック用シートがあり、シートには美容液の含浸やシート体には美容効果が得られる原料を含ませて形成している。
【０００６】
これらパック用シートの平面体には、輪郭や概ねフィット調整なる切り欠き両眼、口に対抗する部分には切り欠き孔を設けて、刃型で打ち抜くことによって形成されている。
【先行技術文献】
【特許文献】
【０００７】
【特許文献１】特許第４６４８４９４号
【発明の概要】
【発明が解決しようとする課題】
【０００８】
本発明が解決しようとする課題は、肌に対する季節毎の外界刺激や日常のストレスそしてお肌の弛み、故に女性に気になる複数箇所からなる年齢の肌、本来それらは一度に美容解消する作業が望ましいことなので、リフトアップ状態で美容効果を多く期することができることの仕組みを少なくとも１箇所の箇所以上に講じ備えるパック用シートを提供するものである。
【課題を解決するための手段】
【０００９】
リフトアップする仕組みの構成は、a〜fのそれぞれの箇所には、平面体の内側から外側周縁部に向かう他と区分する切り込み線を設けて、周縁縁部に摘まんで引っ張ることができる突出部を構成するものでる。
【００１０】
前記に肌を上方向に矯正しながら更に強固に貼り付ける仕組みは、a〜fのそれぞれの箇所に対応して波紋状に広がる弓状やハ字状或いは縦方向に走るそれぞれは複数列からなるミシン目状の切り込み線を設けて、それらに併せて平面体の内側から外側周縁縁部に向かう１本の切り込み線又はミシン目状の切り込み線複数列を挟んで他と区分する２本の切り込み線を設けるものである。
【００１１】
前記平面体に設けるリフティング効果を生むための曲線や直線又は曲線や直線を組み合わせて構成される切り込み線（以下これらを切り込み線と略称する）は、平面体の周縁縁部を切り込むと美容の効果は同じだが粘着性や軟性であることから周縁部の互いが絡まり易く作業が難しいので、美容作業がスムーズに行える周辺縁部は繋がっていながらリフティングの際に容易に千切れる工夫を講じるものである。
【００１２】
詳しくは、周縁縁部に向かう切り込み線の先端と外側からの切り込み線を対向させる楔状の目印を周縁部に設けて、前記楔状の最奥部から内側に向かい、他の切り込み線とは分離されている切り込み線を設け、切り込み線先端終端部を千切ることによって引っ張るための周縁縁部に突出部が構成されることは、掴んで肌に貼り付けながら引き上げる作業がスムーズとなる構成である。
【発明の効果】
【００１３】
本発明品は、リフティングを行う順序は凡そaからfへの順であるが、顔面や顔面の額から下顎部を経て喉部又は首元部の領域に設けたa〜fの箇所を強固に引き上げて貼り付けることは、一度貼り付ける用法で、複数の箇所に肌全体が持ち上げられた状態での美容の用法となり、複数の箇所に美容の効果を期することができるので、化粧時間省略や美容の回数を省略そして費用もリーズナブルとなるは女性への大きな味方である。
【図面の簡単な説明】
【００１４】
【図１】本発明品で額の上部から口部を経て下顎部分までを覆うことができる平面体に打ち抜かれた平面図
【図２】本発明品で額の上部から下顎先端部を経て首元部までを連続して翁形状に覆うことができる平面体に打ち抜かれた平面図
【図３】図２のパック用シートを打ち抜く状況の平面図
【図４】平面体に打ち抜かれた左右両眼に対応するフラップ仕様のパック用シート
【発明を実施するための形態】
【００１５】
発明を実施するための形態は、シートの具体例にコットン不織布シートの目付６０（ｇ／ｍｍ２）を用いて示すが、不織布の目付が小さい〜１００（ｇ／ｍｍ２）を使用する際に留意することは、ミシン目状の切り込み線を複数列に設けて引っ張ることで、目付が小さいとシートの形状が容易に崩れることや目付が大きくてシートが強くて延びない場合は、ミシン目状の切り込み線の本数や切り込み線のピッチの変更が必要であることに留意し、又は設けることを任意とすることも必要である。
【００１６】
パック用シートの打ち抜く符号１の平面体には、鼻筋に繊維の方向を併せる又は鼻筋に繊維の方向を直角に併せ打ち抜く２つの方法のうち選択はコンセプトにより任意であるが、具体例には顔面の鼻筋から首元の方向に符号３９の不織布の引っ張る繊維の並ぶ方向を合わせて打ち抜くものを示す。
【００１７】
パック用シートの平面体の形態は、額上部から下顎を経て首元部までを凡そ２７０ｍｍ、左の突端部の縁から右の突端部までを凡そ２４０ｍｍとする領域に、図１の額の上部から口部を経て下顎部分までを覆うことができる平面体、図２の額の上部から下顎先端部を経て喉部又は首元部までを連続して翁形状に広く覆うことができる平面体である。
【００１８】
顔面に対応する平面体には概ね、両眼に対応する箇所には符号３の長軸楕円の欠き孔又は両眼の領域を個々に覆うフラップなるものを設け、鼻部に対応する箇所にはＵ字型の切り欠き線又は符号１３の左右の鼻翼を結ぶ切り欠き線を下端として鼻筋の方向には符号１４の縦方向やハ字状に走るミシン目状の切り込み線を複数列設け、頬部には符号８の横方向に複数列並ぶミシン目状の切り込み線を設け、口部に対応する箇所には長軸が顔面の横方向である符号１６の楕円孔設けるものである。
【００１９】
上記平面体に連続して喉部又は首元部までを膨らませて略翁形状で密着させて覆うことができるための仕組みは、下顎中央部から横方向には符号１８の縦方向に延びて横方向に並ぶ複数列のミシン目状の切り込み線を設け、下顎裏から符号２６の曲線のＳ字に似たる切り込み線を喉部又は首元部を翁形状に結ぶ直前に終端して設け、略Ｓ字を境にして符号２１、２４の縦方向に延びて横方向に並ぶ複数列のミシン目状の切り込み線を設けるものである。
【００２０】
顔面の額から喉部又は首元部に至る平面体の複数の箇所となるa部〜f部には、額の上から順にリフティングを行うためのそれぞれ内側から外周縁縁部の方向へ１本の切り込み線を設ける構成である。
【００２１】
上記平面体の外周縁部には、上部の左右の縁部のそれぞれにはつまみ用の突出部を設け又は互いを上下にずらして設けることは貼り付ける作業を効率よく行い、つまみ用の符号６、９、１２、１９、２２、２５突出部を周縁縁部に設けることはリフティングの作業を効率良く行うものである。
【００２２】
前記周縁縁部の突出部を設ける構成は、a〜fの領域に沿って符号４、７、１０、１７、２０、２３の切り込み線を設け、切り込み線の先端は周縁部の直前を終端させて、周縁を千切るための符号３０楔形状の目印と周縁手前に終端する切り込み線の先端と外側からの符号３１短い切り込み線の先端を対向させて設けられるものであり、楔形状を設けられた周縁部を千切ることでリフトするための突出部は容易に設けられるものである。
【００２３】
更には、前記a〜fの領域を強固にリフティングする仕組みは、加えてそれぞれの箇所には顔面鼻筋縦の方向に沿ってミシン目状の切り込み線を複数列設けるは、リフティングすることでそれぞれの箇所に対応してミシン目状の切り込み線が開いて密着して強固に覆うことができる、複数列からなるミシン目状の切り込み線に沿った横方向に１本又は複数列からなるミシン目状の切り込み線の上部や下部を２本の切り込み線で挟み設ける構成である。
【００２４】
a)左右それぞれの上まぶた部からこめかみ部を経て直ぐ上の額の斜め外端部方向へのリフティングは、左右それぞれの上まぶたの凡そ中央部を起点として内側から外への周縁縁部の直前に向かい終端する切り込まれる線を設けて、シート周縁縁部の形状を楔状に設けて、部位を千切ることで摘まむ符号６の突端部を設けるa部によって実現することができる。
【００２５】
更には、前記をより強固にリフティングする仕組みは、左右それぞれの上まぶた部及び下まぶた部からこめかみに至る領域には符号５の縦方向に延びて横方向に複数列に並ぶ又はこめかみの領域に波紋状に広がる弓状のミシン目状の切り込み線を複数列設けることである。
【００２６】
b)左右それぞれの頬部から凡そこめかみの方向へのリフティングは、左右それぞれの凡そ目尻を起点として内側から外への周縁縁部の直前に向かい終端する切り込まれる線を設け、シート周縁縁部の形状を楔状に設けて、部位を千切ることで摘まむ符号９の突端部を設けるb部によって実現することができる。
【００２７】
更には、前記をより強固にリフティングする仕組みは、左右のそれぞれの頬部の丘部には符号８の縦方向に延び横方向に複数列に並ぶミシン目状の切り込み線を設けるものである。
【００２８】
c)左右の口元付近やほうれい線部から耳方向へのリフティングは、頬下部の左右それぞれ凡そ中央部の近くを起点として内側から外への周縁縁部の直前に向かい終端する切り込まれる線を設け、シート周縁縁部の形状を楔状に設け、部位を千切ることで摘まむ符号１２の突端部を設けるc部によって実現することができる。
【００２９】
更には、前記をより強固にリフティングする仕組みは、左右それぞれの口元付近やハ字状に似たるほうれい線部を符号１１のハ字状に似たるほうれい線の領域を縦方向に延びて横方向に複数列に並ぶミシン目状の切り込み線又はハ字状に複数列走るミシン目状の切り込み線を設けるものである。
【００３０】
d)左右の下顎両片部から頬部下部を経て凡そこめかみ下部の方向へのリフティングは、下顎部の左右それぞれ両サイドを起点として内側から外への周縁縁部の直前に向かい終端する切り込まれる線を設け、シート周縁縁部の形状を楔状に設け、部位を千切ることで摘まむ符号１９の突端部を設けるd部によって実現することができる。
【００３１】
更には、前記をより強固にリフティングする仕組みは、下顎中央部から左右双方の下顎両片部の方向に沿って符号１８の縦方向に延びて横方向に複数列に並ぶミシン目状の切り込み線を設けるものである。
【００３２】
e)喉中央部から左右の下顎両片部からこめかみ下部方向へのリフティングは、下顎裏の右部を起点として喉部を通り、左右の下顎両片部から喉部を広く覆うことができる輪郭を喉下部で結ぶ位置の直前を終端とする略Ｓ字型の切り込み線を境にして、喉部の左右それぞれの両サイドを起点として内側から外への周縁縁部の直前に向かい終端する切り込まれる線を設け、シート周縁縁部の形状を楔状に設け、部位を千切ることで摘まむ符号２２の突端部を設けるe部によって実現することができる。
【００３３】
更には、前記をより強固にリフティングする仕組みは、略Ｓ字型の切り込み線を境にして喉部から左右双方の端方向に符号２１の縦方向に延びて横方向に複数列に並ぶミシン目状の切り込み線を設けるものである。
【００３４】
f)首元部から左右の下顎両片部を経て耳元裏部方向へのリフティングは、下顎裏の右部を起点として喉部を通り、左右の下顎両片部から喉部を経て首元部を広く覆うことができる輪郭を首元下部で結ぶ位置の直前を終端とする略Ｓ字型の切り込み線を境にして、首部の左右それぞれ両サイドを起点として内側から外への周縁縁部の直前に向かい終端する切り込まれる線を設け、シート周縁縁部の形状を楔状に設け、部位を千切ることで摘まむ符号２５の突端部を設けるf部によって実現することができる。
【００３５】
更には、前記をより強固にリフティングする仕組みは、首部から左右双方の端方向に符号２４の縦方向に延びて横方向に複数列に並ぶミシン目状の切り込み線を設けるものである。
【００３６】
平面体の額らか喉部又は首元部に設ける左右それぞれのリフティングするための周縁縁部の横長は、富士山のすそ野を描くに似たる上から徐々に横長であり、リフトしながら矯正して貼り付けるとそれぞれの周縁縁部はこめかみ部分から耳元周辺の領域にまとめ貼り付けられるもので、最後に掌で押さえ全体のリフティングを確認できるものである。
【００３７】
パック用シートの密着性やリフト感をより強くするための口部に対応する形状は、口部が楕円孔に当て嵌まり引っ張る力の方向が弱くなるので、設ける複数の楕円孔は鼻筋に繊維の方向を直角に併せて打ち抜いた場合は縦の方向に延びるので横方向を長軸とする楕円孔となるが、具体例には打ち抜くと顔面の横方向に延びるので、延びると略正円となる凡そ縦方向に長軸とする複数の略楕円の孔又は小孔を複数にして口部の上を覆う構成を示す。
【実施例】
【００３８】
本発明の実施例は、実施例１に図１の額の上部から口部を経て下顎先部分までを覆うことができる平面体、実施例２に図２の額の上部から下顎先端部を経て喉部又は首元部までを連続して翁形状に覆うことができる平面体を示し、リフティング作業を行い貼り付けるそれぞれの美容用法の時間は凡そ１５分程度である。
【実施例１】
【００３９】
図１の額の上部から口部を経て下顎先部分までを覆うことができる平面体には、a部のリフティング、b部のリフティング、c部のリフティングを設けているが、パック用シートを広げて上部両サイドを摘まんで又は突出部を摘まんで、両眼の楕円孔や鼻部を目安にして顔面の額上部から順に貼り付けるものであって、凡そ、a部に対応する領域を矯正しながら周辺縁部を摘まみ引き上げるものであり、ｂ部に対応する領域を矯正しながら周辺縁部を摘まみ引き上げるものであり、ｃ部に対応する領域を矯正しながら周辺縁部を摘まみ引き上げるものであり、a〜cの少なくとも一つを設けることで本発明の効果が得られものであり、両掌や両指の腹で凹凸部を馴染ませて、最後にそれぞれのリフトアップの状況を確認して再度締めつけるものである。
【００４０】
前記a〜cのそれぞれの箇所に波紋状に広がる弓状やハ字状或いは縦方向に走る複数列からなるミシン目状の切り込み線を設けることは、リフトアップを行うことでシートがスリットされていることからそれぞれ凹凸の形状に対応して延び拡がり、密着させて覆い貼り付けることはそれぞれにはより強固にリフティングしながらの美容効果が得られるものである。
【００４１】
平面体が額の上部から口部を経て下顎先の裏部分までを覆う場合は、前記にd部のリフティングを加え、d部に対応する領域を矯正しながら周辺縁部を摘まみ引き上げることで、リフトアップによる美容効果が加えて得られるものであり、下顎中央部から左右双方の下顎両片部の方向に沿って縦方向に延びて横方向に複数列に並ぶミシン目状の切り込み線を設けることで、より強固にリフティングしながらの美容効果が得られるものである。
【実施例２】
【００４２】
図２の額の上部から下顎先端部を経て喉部又は首元部までを連続して翁形状に覆うことができる平面体には、実施例１にd部のリフティング、e部のリフティング、f部のリフティングそれぞれを加え設けているが、a〜fの少なくとも一つを設けることで本発明の効果が得られものであり、d部に対応する領域を矯正しながら周辺縁部を摘まみ引き上げ、e部に対応する領域を矯正しながら周辺縁部を摘まみ引き上げ、続いてf部に対応する領域を矯正しながら周辺縁部を摘まみ引き上げるもので、特にd〜fの少なくとも一つを設けることによりリフトアップによる美容効果が得られるものであり、両掌や両指先の腹で凹凸部を馴染ませて、最後にそれぞれのリフトアップを確認して再度締めつけるものである。
【００４３】
前記a〜fのそれぞれの箇所に波紋状に広がる弓状やハ字状或いは縦方向に走る複数列からなるミシン目状の切り込み線を設けることは、設けることは、リフトアップを行うことでシートがスリットされていることからそれぞれ凹凸の形状に対応して延び拡がり、密着させて覆い貼り付けることはそれぞれにはより強固にリフティングしながらの美容効果が得られるものである。
【符号の説明】
【００４４】
１      リフティング機能を少なくとも複数の箇所に備えるパック用シートの平面体
２      本発明品のパック用シートの一つの線で繋がっている輪郭線縁部
３      両眼部に対応する切り欠き孔
４      両上下のまぶたからこめかみ部をリフトアップするために他と区分する第１切り込み線
５      両上下のまぶたからこめかみ部への縦方向に延びる複数列並ぶミシン目状の第４切り込
み線
６      両上下のまぶたからこめかみ部を引っ張り上げるための突出した周縁縁部
７      両頬部をリフトアップするために他と区分する第２切り込み線
８      両頬部のミシン目状の第５切り込み線
９      両頬部を引っ張り上げるための突出した周縁縁部
１０    両口元付近からほうれい線部をリフトアップするために他と区分する第３切り込み線
１１    両口元付近からほうれい線部への縦方向に延びる複数列並ぶミシン目状の第６切り込み
線
１２    両口元付近からほうれい線部を引っ張り上げるための突出した周縁縁部
１３    鼻下端部に対応する切り込み線
１４    鼻部のハ字状或いは縦方向に走るミシン目状の切り込み線
１５    鼻尖の目印
１６    口部に対応する切り欠き孔
１７    下顎中央部から下顎両端部をリフトアップするために他と区分する第８切り込み線
１８    下顎中央部から左右下顎両片部に縦に延び横方向に複数列並ぶミシン目状の第１１切り
込み線
１９    下顎中央部から下顎両端部を引っ張り上げるための突出した周縁縁部
２０    喉部から左右喉端部をリフトアップするために他と区分する第９切り込み線
２１    喉部から左右喉端部に縦に延び横方向に複数列並ぶミシン目状の第１２切り込み線
２２    喉部から左右喉端部を引っ張り上げるための突出した周縁縁部
２３    首部から左右横サイド部をリフトアップするために他と区分する第１０切り込み線
２４    首部から左右横サイド部に縦に延び横方向に複数列並ぶミシン目状の第１３切り込み
線
２５    首部から左右横サイド部を引っ張り上げるための突出した周縁縁部
２６    「Ｓ」字型第７スリット線
２７    「Ｓ」字型スリット線の始点
２８    「Ｓ」字型スリット線の先端部
２９    輪郭線を左右両片部から翁形状に結ぶ点
３０    周縁部にそれぞれ設ける楔状の形状で容易に千切り、貼り付けられる構成の目印
３１    周縁部にそれぞれ設ける楔状の形状に外側から内側に対向する短い切り込み線
３２    周縁部にそれぞれ設ける楔形状と内側からの切り込み線先端との隙間
３３    「Ｓ」字型スリット線を境にした左のシート片部
３４    「Ｓ」字型スリット線を境にした右のシート片部
３５    目の領域を覆うシートを脱着できるフラップ形態の切り込み線
３６    眼の周辺を覆う切り残し部を設けたフラップ
３７    フラップ先が摘まめる突出部
３８    フラッ形態の互いの切り込み線が対向する切り残し部
３９    不織布ロール
４０    不織布シートの繊維の並び方向
４１    不織布シートの横の方向
【図１】
2013128518.tif 000003
【図２】
2013128518.tif 000004
【図３】
2013128518.tif 000005
【図４】
2013128518.tif 000006
【手続補正書】
【提出日】平成24年1月10日(2012.1.10)
【手続補正１】
【補正対象書類名】特許請求の範囲
【補正対象項目名】全文
【補正方法】変更
【補正の内容】
【特許請求の範囲】
【請求項１】
シート体を、ほぼ顔全体の額上部から下顎先部分までを覆うことができる平面体に打ち抜き、口部に対応する箇所には孔部を設け、シート周縁縁部を引き上げて肌を上方向に貼り付けることを特徴とするリフティングの仕組みを、
左右それぞれの上まぶたの凡そ中央部を起点として内側から外への周縁縁部の直前に向かい終端する第１切り込み線を設け、第１切り込み線の終端に対向するシート周縁縁部の形状を楔状に形成するa部、
左右それぞれの凡そ目尻を起点として内側から外への周縁縁部の直前に向かい終端する第２切り込み線を設け、第２切り込み線の終端に対向するシート周縁縁部の形状を楔状に形成するb部、
頬下部の左右それぞれ凡そ中央部の近くを起点として内側から外への周縁縁部の直前に向かい終端する第３切り込み線を設け、第３切り込み線の終端に対向するシート周縁縁部の形状を楔状に形成するc部、
の少なくとも一つを設けることで実現することを特徴とするパック用シート。
【請求項２】
前記a部に、左右それぞれの上まぶた部及び下まぶた部からこめかみに至る領域には縦方向に延びて横方向に複数列に並ぶ又は波紋状に広がるミシン目状の第４切り込み線を複数列設け、
前記b部に、左右それぞれの頬部の丘部には縦方向に延びて横方向に複数列に並ぶミシン目状の第５切り込み線を設け、
前記c部に、左右それぞれの口元部付近やハ字状に似たるほうれい線部をハ字状に複数列走る又はハ字状に似たるほうれい線の領域を縦方向に延びて横方向に複数列に並ぶミシン目状の第６切り込み線を設ける請求項１に記載のパック用シート。
【請求項３】
シート体を、顔面の額から顎先端部分を経て喉部又は首元部分までを連続して覆うことができる、左右下顎両片部の突端部から喉部又は首元部までを膨らませて結ぶ略翁形状の平面体に打ち抜き、
口部に対向する箇所には孔部を設け、左顎裏を始点としてここから右斜め下方の喉又は首の中央部を横切り斜め右下方向へ伸びて平面体の左右の下顎両片部の突端部から喉部分又は首元部分に至る輪郭線が交わる手前を終端とした略Ｓ字の第７切り込み線を設け、
シート周縁縁部を引き上げて肌を上方向に矯正しながら貼り付けることを特徴とするリフティングの仕組みを、
下顎部の左右それぞれ両サイドを起点として内側から外への周縁縁部の直前に向かい終端する第８切り込み線を設け、第８切り込み線の終端に対向するシート周縁縁部の形状を楔状に形成するd部、
喉部の第７切り込み線を境にして、左右それぞれの両サイドを起点として内側から外への周縁縁部の直前に向かい終端する第９切り込み線を設け、第９切り込み線の終端に対向するシート周縁縁部の形状を楔状に形成するe部、
首部の第７切り込み線を境にして、左右それぞれ両サイドを起点として内側から外への周縁縁部の直前に向かい終端する第１０切り込み線を設け、第１０切り込み線の終端に対向するシート周縁縁部の形状を楔状に形成するf部、
の少なくとも一つを設けることで実現することを特徴とするパック用シート。
【請求項４】
前記d部に、下顎中央部から左右双方の下顎両片部の方向に沿って縦方向に延びて横方向に複数列に並ぶミシン目状の第１１切り込み線を設け、
前記e部に、左右双方の喉部に縦方向に延びて横方向に複数列に並ぶミシン目状の第１２切り込み線を設け、
前記f部に、左右双方の首部から縦方向に延びて横方向に複数列に並ぶミシン目状の第１３切り込み線を設ける請求項３に記載のパック用シート。
【請求項５】
口に対応した箇所に形成する孔部は、長軸が顔面の横方向である楕円孔である請求項１から４のいずれかに記載のパック用シート。
【請求項６】
口に対応した箇所に形成する孔部は、リフト機能をより向上させる為の小孔を複数にして口を覆うことができる又は小さい楕円孔を複数個並べたものである請求項１から５のいずれかに記載のパック用シート。
【請求項７】
平面体の外周縁部には、上部の左右の縁部それぞれにつまみ用の突出部を設ける請求項１から６のいずれかに記載のパック用シート。
【請求項８】
前記楔状の最奥部から内側に向かい、他の切り込み線とは分離されている切り込み線を設ける請求項１から７のいずれかに記載のパック用シート。
【請求項９】
フラップ形状を作るための目尻付近と目頭付近からの互いの切り込み線先端を上部で対向させる切り込み線を両眼に対応した位置に設けた請求項１から８のいずれかに記載のパック用シート。
【手続補正書】
【提出日】平成24年4月10日(2012.4.10)
【手続補正１】
【補正対象書類名】特許請求の範囲
【補正対象項目名】全文
【補正方法】変更
【補正の内容】
【特許請求の範囲】
【請求項１】
シート体を、前記シート体は１枚のシート体からなる顔面の額から顎先端部分を経て喉部又は首元部分までを連続して覆うことができる、左右下顎両片部の突端部から喉部又は首元部までを膨らませて結ぶ略翁形状の平面体に打ち抜き、
口部に対向する箇所には孔部を設け、左顎裏を始点としてここから右斜め下方の喉又は
首の中央部を横切り斜め右下方向へ伸びて平面体の左右の下顎両片部の突端部から喉部分
又は首元部分に至る輪郭線が交わる手前を終端とした略Ｓ字の第７切り込み線を設け、シート周縁縁部を引き上げて肌を上方向に矯正しながら貼り付けることを特徴とするリフティングの仕組みを、
喉部の第７切り込み線を境にして、左右それぞれの両サイドを起点として内側から外への周縁縁部の直前に向かい終端する連続線からなる第９切り込み線を設け、連続線からなる第９切り込み線の終端に対向するシート周縁縁部の形状を楔状に形成するe部、
首部の第７切り込み線を境にして、左右それぞれ両サイドを起点として内側から外への
周縁縁部の直前に向かい終端する連続線からなる第１０切り込み線を設け、連続線からなる第１０切り込み線の終端に対向するシート周縁縁部の形状を楔状に形成するf部、
の少なくとも一つを設けることで実現することを特徴とするパック用シート。
【請求項２】
前記e部に、左右双方の喉部に縦方向に延びて横方向に複数列に並ぶミシン目状の
第１２切り込み線を設け、
前記f部に、左右双方の首部から縦方向に延びて横方向に複数列に並ぶミシン目状
の第１３切り込み線を設ける請求項１に記載のパック用シート。
【請求項３】
口に対応した箇所に形成する孔部は、長軸が顔面の横方向である楕円孔である請求項１
又は２のいずれかに記載のパック用シート。
【請求項４】
口に対応した箇所に形成する孔部は、リフト機能をより向上させる為の小孔を複数にし
て口を覆うことができる又は小さい楕円孔を複数個並べたものである請求項１から３のい
ずれかに記載のパック用シート。
【請求項５】
平面体の外周縁部には、上部の左右の縁部それぞれにつまみ用の突出部を設ける請求項
１から４のいずれかに記載のパック用シート。
【請求項６】
前記楔状の最奥部から内側に向かい、他の切り込み線とは分離されている切り込み線を
設ける請求項１から５のいずれかに記載のパック用シート。
【請求項７】
フラップ形状を作るための目尻付近と目頭付近からの互いの切り込み線先端を上部で対
向させる切り込み線を両眼に対応した位置に設けた請求項１から６のいずれかに記載のパ
ック用シート。
【手続補正書】
【提出日】平成24年6月13日(2012.6.13)
【手続補正１】
【補正対象書類名】特許請求の範囲
【補正対象項目名】全文
【補正方法】変更
【補正の内容】
【特許請求の範囲】
【請求項１】
シート体を、前記シート体は１枚のシート体からなる顔面の額から顎先端部分を経て喉部又は首元部分までを連続して覆うことができる、左右下顎両片部の突端部から喉部又は首元部までを膨らませて結ぶ略翁形状の平面体に打ち抜き、口部に対向する箇所には孔部を設け、左顎裏を始点としてここから右斜め下方の喉又は首の中央部を横切り斜め右下方向へ伸びて平面体の左右の下顎両片部の突端部から喉部分又は首元部分に至る輪郭線が交わる手前を終端とした略Ｓ字の第７切り込み線を設け、
喉部領域又は首部領域のシート周縁縁部を引き上げて肌を上方向に矯正しながら貼り付けることを特徴とするリフティングの仕組みを、
喉部の第７切り込み線を境にして、左右それぞれの両サイドを起点として内側から外への周縁縁部の直前に向かい終端する連続線からなる第９切り込み線を設け、連続線からなる第９切り込み線の終端に対向するシート周縁縁部の形状を楔状に形成するe部、
首部の第７切り込み線を境にして、左右それぞれ両サイドを起点として内側から外への周縁縁部の直前に向かい終端する連続線からなる第１０切り込み線を設け、連続線からなる第１０切り込み線の終端に対向するシート周縁縁部の形状を楔状に形成するf部、
の少なくとも一つを設けることで実現することを特徴とするパック用シート。
【請求項２】
口に対応した箇所に形成する孔部は、長軸が顔面の横方向である楕円孔である請求項１に記載のパック用シート。
【請求項３】
口に対応した箇所に形成する孔部は、リフト機能をより向上させる為の小孔を複数にして口を覆うことができる又は小さい楕円孔を複数個並べたものである請求項１又は２に記載のパック用シート。
【請求項４】
平面体の外周縁部には、上部の左右の縁部それぞれにつまみ用の突出部を設ける請求項１から３のいずれかに記載のパック用シート。
【請求項５】
前記楔状の最奥部から内側に向かい、他の切り込み線とは分離されている切り込み線を設ける請求項１から４のいずれかに記載のパック用シート。
【請求項６】
フラップ形状を作るための目尻付近と目頭付近からの互いの切り込み線先端を上部で対向させる切り込み線を両眼に対応した位置に設けた請求項１から５のいずれかに記載のパック用シート。